(57)【要約】【課題】ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる出没式筆記具を提供しようとする。【解決手段】筆記体３を後方付勢状態で軸筒２内部に前後方向に移動可能に収容し、前記筆記体３のペン先５を軸筒２の前端孔２１より出没可能に構成する。筆記体３が、ペン先５と、インキを直に貯溜するインキタンク４１と、ペン先５とインキタンク４１との間に配置され且つインキタンク４１の内圧上昇に伴う溢出インキを一時的に保持するインキ保溜部材６と、インキタンク４１内と外気とを連通する通気路７とを備える。ペン先没入時に通気路７を閉鎖しインキタンク４１内と外気との連通を遮断し、且つ、ペン先突出時に通気路７を開放しインキタンク４１内と外気とを連通するシール装置８１を備える。【選択図】  図２
2008006660.tif 000002
【特許請求の範囲】
【請求項１】
筆記体が、ペン先と、インキを直に貯溜するインキタンクと、ペン先とインキタンクとの間に配置され且つインキタンクの内圧上昇に伴う溢出インキを一時的に保持するインキ保溜部材と、インキタンク内と外気とを連通する通気路とを備え、前記筆記体を後方付勢状態で軸筒内部に前後方向に移動可能に収容し、前記筆記体のペン先を軸筒の前端孔より出没可能に構成してなる出没式筆記具であって、ペン先没入時に前記通気路を閉鎖しインキタンク内と外気との連通を遮断し、且つ、ペン先突出時に前記通気路を開放しインキタンク内と外気とを連通するシール装置を備えたことを特徴とする出没式筆記具。
【請求項２】
前記シール装置が、筆記体の外面に設けた通気路の開口部と、軸筒内面に固定したシール体とからなり、ペン先没入時に前記シール体が前記通気路の開口部を密閉し、ペン先突出時に前記シール体が前記通気路の開口部を開放してなる請求項1記載の出没式筆記具。
【請求項３】
筆記体の前部外面に通気路の開口部を設け、軸筒の前部内面にシール体を固定してなる請求項２記載の出没式筆記具。
【請求項４】
筆記体の後端に、後方に開口する通気路の開口部を設け、軸筒の後部内面にシール体を固定してなる請求項２記載の出没式筆記具。
【請求項５】
筆記体が、内部にインキタンクを備え且つ内部にインキ保溜部材を収容する筒状の容器からなり、通気路が、インキタンクからインキ保溜部材のインキ保溜部前方までの第１の通気路と、該第１の通気路の前端と連通し且つ前記容器の後端より後方に開口する第２の通気路とからなり、前記容器の外壁に前記第２の通気路を形成した請求項４記載の出没式筆記具。
【請求項６】
容器の外面に、筒状の外装体を装着し、前記容器の外面と前記外装体の内面との間に第２の通気路を形成した請求項５記載の出没式筆記具。
【請求項７】
容器の外面に管状壁部を一体に形成し、前記管状壁部の内部に第２の通気路を形成した請求項５記載の出没式筆記具。
【請求項８】
前記シール装置が、筆記体の前部外面に設けた通気路の開口部と、前記通気路の開口部内部に外方に付勢された状態で収容された弁体と、前記通気路の開口端部に設けられ、前記外方に付勢された弁体が密接可能な弁座と、軸筒の前部内面に設けた押圧壁部とからなり、ペン先没入時に、前記弁体が前記弁座に密接して通気路の開口部を閉鎖し、ペン先突出時に、前記押圧壁部が前記弁体を後方に押圧して通気路の開口部を開放してなる請求項１記載の出没式筆記具。
【発明の詳細な説明】
【技術分野】
【０００１】
本発明は、出没式筆記具に関する。詳細には、インキを直に貯溜する直液式の筆記体を軸筒内に前後方向に移動可能に収容した出没式筆記具に関する。
【背景技術】
【０００２】
従来この種の出没式筆記具において、特許文献１には、チップ内孔にインキ誘導芯が密装され、チップ後方に直列状に継ぎ手、インキ保溜体が一体的に設けられて、インキ収容管内に低粘度インキが充填されると共にインキ収容管の前方部内孔にインキ保溜体が嵌着されて成るボールペンのリフィールと、軸筒の後方にノック操作により軸筒に対し前後退位置に係止される回転カム機構部が配設され、その回転カム機構部の前方にリターンスプリングにより後方に附勢された前記ボールペンのリフィールが設けられて成るノック式筆記具が開示されている。また、前記特許文献１には、鍔部の所要箇所に通気溝を設けて外気とインキ保溜体及びインキ収容管内の空気置換を行なうこと、及び、空気置換のための通気路は細く迂回したものが望ましいことが記載されている。
【０００３】
【特許文献１】特開平１０−２６４５８５号公報
【発明の開示】
【発明が解決しようとする課題】
【０００４】
前記従来の出没式筆記具は、ペン先没入状態であっても、通気路は外気と連通されているため、長期間保管すると、インキタンク内のインキが蒸発して、筆記不能となるおそれがある。また、前記従来の出没式筆記具は、ペン先没入状態でインキタンク内の圧力が上昇すると、通気路を通って外部にインキが漏出するおそれがある。
【０００５】
本発明は、前記従来の問題点を解決するものであって、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる出没式筆記具を提供しようとするものである。
【０００６】
尚、本発明で、「前」とはペン先側を指し、「後」とはその反対側を指す。また、本発明で、「ペン先没入」とは、ペン先が軸筒内部に没入することを言い、「ペン先突出」とは、ペン先が軸筒の前端孔から外部に突出することを言う。
【課題を解決するための手段】
【０００７】
（構成１）
本発明は、筆記体３が、ペン先５と、インキを直に貯溜するインキタンク４１と、ペン先５とインキタンク４１との間に配置され且つインキタンク４１の内圧上昇に伴う溢出インキを一時的に保持するインキ保溜部材６と、インキタンク４１内と外気とを連通する通気路７とを備え、前記筆記体３を後方付勢状態で軸筒２内部に前後方向に移動可能に収容し、前記筆記体３のペン先５を軸筒２の前端孔２１より出没可能に構成してなる出没式筆記具であって、ペン先没入時に前記通気路７を閉鎖しインキタンク４１内と外気との連通を遮断し、且つ、ペン先突出時に前記通気路７を開放しインキタンク４１内と外気とを連通するシール装置８１を備えたこと（構成１）を要件とする。
【０００８】
前記構成１の出没式筆記具１は、ペン先没入時にシール装置８１が通気路７を閉鎖しインキタンク４１内と外気との連通を遮断する。それにより、ペン先没入状態で長期間保管しても、通気路７からインキタンク４１内のインキが蒸発することを防止でき、さらに、ペン先没入状態でインキタンク４１内の圧力が上昇しても、通気路７を通って外部にインキが漏出することを防止できる。
【０００９】
（構成２）
前記構成１の出没式筆記具１において、前記シール装置８１が、筆記体３の外面に設けた通気路７の開口部７１と、軸筒２内面に固定したシール体８１とからなり、ペン先没入時に前記シール体８１が前記通気路７の開口部７１を密閉し、ペン先突出時に前記シール体８１が前記通気路７の開口部７１を開放してなること（構成２）が好ましい。
【００１０】
前記構成２の出没式筆記具１は、シール体８１が通気路７の開口部７１を密閉する構成であるため、ペン先没入時の通気路７の開口部７１を、簡易な構造で確実に密閉することができる。
【００１１】
（構成３）
前記構成２の出没式筆記具１において、筆記体３の前部外面に通気路７の開口部７１を設け、軸筒２の前部内面にシール体８１を固定してなること（構成３）が好ましい。
【００１２】
前記構成３の出没式筆記具１は、筆記体３の前部外面（即ちインキ保溜部材６のインキ保溜部の前方の外面）に通気路７の開口部７１を設けたことにより、ペン先没入時の通気路７の開口部７１を密閉する構造が、より一層、簡易なものとなる。
【００１３】
（構成４）
前記構成２の出没式筆記具１において、筆記体３の後端に、後方に開口する通気路７の開口部７１を設け、軸筒２の後部内面にシール体８１を固定してなること（構成４）が好ましい。
【００１４】
前記構成４の出没式筆記具１は、筆記体３の後端（即ちインキタンク４１の後方）に、後方に開口する通気路７の開口部７１を設け、軸筒２内の後部内部にシール体８１を固定してなることにより、ペン先没入時の筆記体３の後方付勢力を利用することにより、シール体８１と通気路７の開口部７１とを前後方向に確実に密接させることができ、ペン先没入時の通気路７の開口部７１の確実な密閉が得られる。さらに、前記構成４の出没式筆記具１は、筆記体３の後端に、後方に開口する通気路７の開口部７１を設けたことにより、ペン先突出時に、ペン先下向き状態でインキタンク４１内の圧力が上昇しても、通気路７の開口部７１が上向き状態であるため、通気路７の開口部７１から外部にインキが漏出することを、一層回避できる。
【００１５】
（構成５）
前記構成４の出没式筆記具１において、筆記体３が、内部にインキタンク４１を備え且つ内部にインキ保溜部材６を収容する筒状の容器４からなり、通気路７が、インキタンク４１からインキ保溜部材６のインキ保溜部前方までの第１の通気路７ａと、該第１の通気路７ａの前端と連通し且つ前記容器４の後端より後方に開口する第２の通気路７ｂとからなり、前記容器４の外壁に前記第２の通気路７ｂを形成したこと（構成５）が好ましい。
【００１６】
前記構成５の出没式筆記具１は、インキタンク４１内部から筆記体３の後端に至る通気路７を確実に形成できる。さらに、前記構成５の出没式筆記具１は、インキタンク４１から通気路７の開口部７１までの通気路７の長さを長く設定でき、ペン先突出時に、ペン先下向き状態でインキタンク４１内の圧力が上昇しても、通気路７の開口部７１から外部にインキが漏出することを、より一層回避できる。
【００１７】
（構成６）
前記構成５の出没式筆記具１において、容器４の外面に、筒状の外装体３１を装着し、前記容器４の外面と前記外装体３１の内面との間に第２の通気路７ｂを形成したこと（構成６）が好ましい。
【００１８】
前記構成６の出没式筆記具１は、インキタンク４１内部から筆記体３の後端面に至る通気路７を、一層確実に形成できる。
【００１９】
（構成７）
前記構成５の出没式筆記具１において、容器４の外面に管状壁部４６を一体に形成し、前記管状壁部４６の内部に第２の通気路７ｂを形成したこと（構成７）が好ましい。
【００２０】
前記構成７の出没式筆記具１は、インキタンク４１内部から筆記体３の後端面に至る通気路７を、一層確実に形成できるとともに、部品点数の増加を抑えることができる。
【００２１】
（構成８）
前記構成１の出没式筆記具１において、前記シール装置８１が、筆記体３の前部外面に設けた通気路７の開口部７１と、前記通気路７の開口部７１内部に外方に付勢された状態で収容された弁体と、前記通気路７の開口端部に設けられ、前記外方に付勢された弁体が密接可能な弁座８３と、軸筒２の前部内面に設けた押圧壁部２３とからなり、ペン先没入時に、前記弁体が前記弁座８３に密接して通気路７の開口部７１を閉鎖し、ペン先突出時に、前記押圧壁部２３が前記弁体を後方に押圧して通気路７の開口部７１を開放してなること（構成８）が好ましい。
【００２２】
前記構成８の出没式筆記具１は、ペン先没入時の通気路７の開口部７１を確実に密閉することができ、ペン先突出時の通気路７の開口部７１を確実に開口することができる。また、前記構成８の出没式筆記具１は、ペン先没入状態からペン先突出状態までの過程において、通気路７の開口部７１の閉鎖状態を長く設定することができ、その結果、不完全なペン先突出操作をした場合でも、通気路７が開放されることを一層回避でき、通気路７から外部へのインキ蒸発及びインキ漏出を一層抑えることができる。
【発明の効果】
【００２３】
本発明の出没式筆記具は、構成１により、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる。
【００２４】
本発明の出没式筆記具は、構成２により、ペン先没入時の通気路の開口部を、簡易な構造で確実に密閉することができる。
【００２５】
本発明の出没式筆記具は、構成３により、ペン先没入時の通気路の開口部を密閉する構造が、より一層、簡易なものとなる。
【００２６】
本発明の出没式筆記具は、構成４により、ペン先没入時の通気路の開口部の確実な密閉が得られる。さらに、構成４により、ペン先下向き状態でインキタンク内の圧力が上昇しても、通気路の開口部から外部にインキが漏出することを、一層回避できる。
【００２７】
本発明の出没式筆記具は、構成５により、インキタンク内部から筆記体の後端面に至る通気路を確実に形成できる。さらに、構成５により、ペン先下向き状態でインキタンク内の圧力が上昇しても、通気路の開口部から外部にインキが漏出することを、より一層回避できる。
【００２８】
本発明の出没式筆記具は、構成６により、インキタンク内部から筆記体の後端面に至る通気路を、一層確実に形成できる。
【００２９】
本発明の出没式筆記具は、構成７により、インキタンク内部から筆記体の後端面に至る通気路を、一層確実に形成できるとともに、部品点数の増加を抑えることができる。
【００３０】
本発明の出没式筆記具は、構成８により、ペン先没入時の通気路の開口部を確実に密閉することができ、ペン先突出時の通気路の開口部を確実に開口することができる。また、構成８により、不完全なペン先突出操作をした場合でも、通気路が開放されることを一層回避でき、通気路から外部へのインキ蒸発及びインキ漏出を一層抑えることができる。
【発明を実施するための最良の形態】
【００３１】
（第１の実施の形態）
図１及び図２に本発明の第１の実施の形態を示す。
【００３２】
本実施の形態の出没式筆記具１は、軸筒２と、該軸筒２内に前後方向に移動可能に収容される筆記体３とを備える。
【００３３】
・軸筒
前記軸筒２の前端には、前端孔２１が貫設される。前記前端孔２１を通して筆記体３のペン先５が外部に突出可能且つ内部に没入可能に構成される。前記軸筒２の前端孔２１近傍の内部には、コイルスプリング１１が収容され、前記コイルスプリング１１により筆記体３が後方に常時付勢される。前記コイルスプリング１１の前端は、軸筒２の前端部内壁に形成した前側係止部２２に係止され、一方、コイルスプリング１１の後端は、筆記体３の外面に形成された後側係止部４２に係止される。
【００３４】
・出没機構
前記軸筒２の後端部内部には、出没機構９が設けられる。前記出没機構９は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部９３（操作部）とからなる。前記出没機構９は、ペン先突出操作、ペン先没入操作の両操作が、ノック部９３を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部を前方に押圧するスライド式等が挙げられる。
【００３５】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００３６】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００３７】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００３８】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧により、ボールが、チップ本体５１のボール抱持部の前端内縁に密接され、それにより、非筆記時における、ペン先５からのインキの漏出やインキの蒸発を防止する。
【００３９】
・通気路
前記通気路７は、容器４内面とインキ保溜部材６の空気交替溝との間に形成される。前記通気路７の開口部７１は、容器４の前端の側壁に切り欠き状に形成され、前記通気路７の開口部７１を通して通気路７内と外気とが連通される。
【００４０】
・シール装置
前記軸筒２内には、ペン先突出時に通気路７を閉鎖し、ペン先没入時に通気路７を開放するシール装置８１が設けられる。前記シール装置８１は、軸筒２の前部内壁に固定された環状弾性体よりなるシール体８１と、該シール体８１が密接することにより密閉される通気路７の開口部７１とからなる。前記シール体８１は、前後方向に移動する筆記体３の容器４側壁外面と密接摺動する。ペン先没入時に前記シール体８１と前記通気路７の開口部７１が密接し、前記通気路７の開口部７１が密閉される。一方、ペン先突出時に前記シール体８１と前記通気路７の開口部７１との密接が解除され、前記通気路７の開口部７１が開放される。
【００４１】
前記シール体８１は通気路７の開口部７１の面積より僅かに大きく設定され、それにより、シール体８１が開口部７１の全周囲に直接、密接され、通気路７の開口部７１が密閉される。また、前記通気路７の開口部７１は、容器４側壁外面の円周面の一部に形成されているが、シール体８１が環状であるため、軸筒２内面に対する筆記体３の円周方向の向きがいずれであっても、シール体８１によって確実に密閉できる。
【００４２】
（第２の実施の形態）
図３乃至図６に本発明の第２の実施の形態を示す。
【００４３】
本実施の形態の出没式筆記具１は、軸筒２と、該軸筒２内に前後方向に移動可能に収容される筆記体３とを備える。
【００４４】
・軸筒
前記軸筒２の前端には、前端孔２１が貫設される。前記前端孔２１を通して筆記体３のペン先５が外部に突出可能且つ内部に没入可能に構成される。前記軸筒２の前端孔２１近傍の内部には、コイルスプリング１１が収容され、前記コイルスプリング１１により筆記体３が後方に常時付勢される。前記コイルスプリング１１の前端は、軸筒２の前端部内壁に形成した前側係止部２２に係止され、一方、コイルスプリング１１の後端は、筆記体３の外面に形成された後側係止部４２に係止される。
【００４５】
・出没機構
前記軸筒２の後端部内部には、出没機構９が設けられる。前記出没機構９は、操作部の操作により、筆記時、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部９３（操作部）とからなる。前記回転部材９２は、ペン先突出時に筆記体３の後端（容器４の後端）に当接し、筆記体３を前方に押圧する。前記回転部材９２の前端部には、ペン先突出時に筆記体３の後端（容器４の後端）に当接するための棒状部９２ａが形成される。前記出没機構９は、ペン先突出操作、ペン先没入操作の両操作が、ノック部９３を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部を前方に押圧するスライド式等が挙げられる。
【００４６】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、前記容器４の外面に装着される筒状の外装体３１と、該外装体３１の内面と容器４の外面との間に形成され、インキタンク４１内と外気とを連通させる通気路７とからなる。
【００４７】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００４８】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００４９】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧により、ボールが、チップ本体５１のボール抱持部の前端内縁に密接され、それにより、非筆記時における、ペン先５からのインキの漏出やインキの蒸発を防止する。
【００５０】
・外装体
前記外装体３１は、両端が開口された筒状体からなる。前記外装体３１は容器４の外面に装着され、前記外装体３１内に容器４が収容される。前記容器４の外面には軸方向の複数本のリブ４３が形成され、前記リブ４３外面と外装体３１の内面とが嵌合される。前記外装体３１の前端開口部７１は、ペン先保持部材５３が密接されて、常時閉鎖される（図６参照）。前記外装体３１の後端開口部７１は、外部に開口される。尚、前記軸方向の複数本リブは、外装体３１の内面に形成してもよい。
【００５１】
・通気路
前記通気路７は、容器４の内面とインキ保溜部材６の空気交替溝との間に形成される第１の通気路７ａと、外装体３１の内面と容器４の外面との間の前記リブ４３間に形成される第２の通気路７ｂとからなる。前記第１の通気路７ａが、インキタンク４１からインキ保溜部材６のインキ保溜部前方まで形成され、容器４の前端の側壁に形成された連通孔７２を通して、第２の通気路７ｂと連通される。前記第２の通気路７ｂは、外装体３１の後端開口部７１を通して外気と連通される。即ち、外装体３１の後端開口部７１が、通気路７の開口部７１となる。
【００５２】
・シール装置
前記軸筒２内には、ペン先突出時に通気路７を閉鎖し、ペン先没入時に通気路７を開放するシール装置８１が設けられる。前記シール装置８１は、軸筒２の後部内壁に固定された環状弾性体よりなるシール体８１と、該シール体８１の内周面と環状に密接する回転部材９２の棒状部９２ａと、前記シール体８１が密接することにより密閉される通気路７の開口部７１とからなる。ペン先没入時に前記シール体８１と前記通気路７の開口部７１が前後方向に密接し、前記シール体８１の内周面と回転部材９２の棒状部９２ａ外周面とが環状に密接することにより、前記通気路７の開口部７１が密閉され、インキタンク４１内と外気との連通が遮断される。一方、ペン先突出時に前記シール体８１と前記通気路７の開口部７１との密接が解除され、前記通気路７の開口部７１が開放され、インキタンク４１内と外気との連通が維持される。前記シール体８１の内周面は、少なくともペン先没入時に、回転部材９２の棒状部９２ａ外周面と環状に密接される。
【００５３】
前記シール体８１の前面には、環状突起が形成される。ペン先没入時、コイルスプリング１１の後方付勢により筆記体３が後方に押圧され、それにより、前記環状突起に、通気路７の開口部７１の内周縁が密接し、通気路７の開口部７１が密閉される。
【００５４】
（第３の実施の形態）
図７乃至図１０に本発明の第３の実施の形態を示す。
【００５５】
本実施の形態の出没式筆記具１は、軸筒２と、該軸筒２内に前後方向に移動可能に収容される筆記体３とを備える。
【００５６】
・軸筒
前記軸筒２の前端には、前端孔２１が貫設される。前記前端孔２１を通して筆記体３のペン先５が外部に突出可能且つ内部に没入可能に構成される。前記軸筒２の前端孔２１近傍の内部には、コイルスプリング１１が収容され、前記コイルスプリング１１により筆記体３が後方に常時付勢される。前記コイルスプリング１１の前端は、軸筒２の前端部内壁に形成した前側係止部２２に係止され、一方、コイルスプリング１１の後端は、筆記体３の外面に形成された後側係止部４２に係止される。
【００５７】
・出没機構
前記軸筒２の後端部内部には、出没機構９が設けられる。前記出没機構９は、筆記時、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部９３（操作部）とからなる。前記回転部材９２は、ペン先突出時に筆記体３の後端（容器４の後端）に当接し、筆記体３を前方に押圧する。前記回転部材９２の前端部には、ペン先突出時に筆記体３の後端（容器４の後端）に当接するための棒状部９２ａが形成される。前記出没機構９は、ペン先突出操作、ペン先没入操作の両操作が、ノック部９３を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部を前方に押圧するスライド式等が挙げられる。
【００５８】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、前記容器４の外面に形成され、インキタンク４１内と外気とを連通させる通気路７とからなる。
【００５９】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００６０】
前記インキ保溜部材６は、複数の板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００６１】
前記インキ保溜部材６の前端には、ボールペンチップからなるペン先５が取り付けられる。前記ペン先５は、前端にボールを回転可能に抱持したチップ本体５１と、該チップ本体５１が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧により、ボールが、チップ本体５１のボール抱持部の前端内縁に密接され、それにより、非筆記時における、ペン先５からのインキの漏出やインキの蒸発を防止する。
【００６２】
・管状壁部
前記容器４の外面には、軸方向に延びる管状壁部４６が一体に形成される。前記容器４と前記管状壁部４６が一体に連設された部分の筆記体３の横断面形状は、円形状であり、前記容器４と前記管状壁部４６とは、軸方向に延びる平板状の隔壁４４により仕切られる（図１０参照）。即ち、前記容器４と前記管状壁部４６が一体に連設された部分の横断面形状は、前記容器４内面が、直径より短い線分で円を２分割した大面積側の形状を有し、前記管状壁部４６内面が、直径より短い線分で円を２分割した小面積側の形状を有する。前記管状壁部４６の後端は、容器４の底壁より後方に突出され、筆記体３の軸心と同心の円形状からなる円筒状壁部４５を形成する。前記円筒状壁部４５が、後方に開口され、通気路７の開口部７１を構成する。
【００６３】
・通気路
通気路７は、容器４の内面とインキ保溜部材６の空気交替溝との間に形成される第１の通気路７ａと、管状壁部４６の内部に形成される第２の通気路７ｂとからなる。前記第１の通気路７ａが、インキタンク４１からインキ保溜部材６のインキ保溜部前方まで形成され、容器４の前端の側壁に形成された連通孔７２を通して、第２の通気路７ｂと連通される。前記第２の通気路７ｂは、管状壁部４６の後端の円筒状壁部４５の開口部を通して外気と連通される。即ち、円筒状壁部４５の開口部が、通気路７の開口部となる。
【００６４】
・シール装置
前記軸筒２内には、ペン先突出時に通気路７を閉鎖し、ペン先没入時に通気路７を開放するシール装置８１が設けられる。前記シール装置８１は、軸筒２の後部内壁に固定された環状弾性体よりなるシール体８１と、該シール体８１の内周面と環状に密接する回転部材９２の棒状部９２ａと、前記シール体８１が密接することにより密閉される通気路７の開口部７１とからなる。ペン先没入時に前記シール体８１と前記通気路７の開口部７１が前後方向に密接し、シール体８１の内周面と回転部材９２の棒状部９２ａ外周面が環状に密接することにより、前記通気路７の開口部７１が密閉され、インキタンク４１内と外気との連通が遮断される。一方、ペン先突出時に前記シール体８１と前記通気路７の開口部７１との密接が解除され、前記通気路７の開口部７１が開放され、インキタンク４１内と外気との連通が維持される。前記シール体８１の内周面は、少なくともペン先没入時に、回転部材９２の棒状部９２ａ外周面と環状に密接される。
【００６５】
前記シール体８１の前面には、前方に向かうに従い次第に外径が小さくなる円錐面状外面が形成される。ペン先没入時、コイルスプリング１１の後方付勢により筆記体３が後方に押圧され、それにより、前記シール体８１の円錐面状外面に、通気路７の開口部７１（円筒状壁部４５の開口部７１）の内周縁が密接し、通気路７の開口部が密閉される。
【００６６】
（第４の実施の形態）
図１１乃至図１２に本発明の第４の実施の形態を示す。
【００６７】
本実施の形態の出没式筆記具１は、軸筒２と、該軸筒２内に前後方向に移動可能に収容される筆記体３とを備える。
【００６８】
・軸筒
前記軸筒２の前端には、前端孔２１が貫設される。前記前端孔２１を通して筆記体３のペン先５が外部に突出可能且つ内部に没入可能に構成される。前記軸筒２の前部内部には、コイルスプリング１１が収容され、前記コイルスプリング１１により筆記体３が後方に常時付勢される。前記コイルスプリング１１の前端は、軸筒２の前部内壁に形成した前側係止部２２に係止され、一方、コイルスプリング１１の後端は、筆記体３の外面に形成された後側係止部４２に係止される。
【００６９】
・出没機構
前記軸筒２の後端部内部には、出没機構９が設けられる。前記出没機構９は、筆記時、筆記体３を前方に移動し、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部９３（操作部）とからなる。前記出没機構９は、ペン先突出操作、ペン先没入操作の両操作が、ノック部９３を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部を前方に押圧するスライド式等が挙げられる。
【００７０】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００７１】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００７２】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００７３】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧によりボールが、チップ本体５１のボール抱持部の前端内縁に密接され、それにより、非筆記時における、ペン先５からのインキの漏出やインキの蒸発を防止する。
【００７４】
・通気路
前記通気路７は、容器４内面とインキ保溜部材６の空気交替溝との間に形成される。前記通気路７の開口部７１は、前方に開口するよう、容器４の前端に設けられる。前記通気路７の開口部７１を通して通気路７内と外気とが連通される。
【００７５】
・シール装置
前記軸筒２内には、ペン先突出時に通気路７を閉鎖し、ペン先没入時に通気路７を開放するシール装置８１が設けられる。前記シール装置８１は、筆記体３の前部外面に設けた通気路７の開口部７１と、前記通気路７の開口部７１内部に外方に付勢された状態で収容された弁体８２と、前記通気路７の開口端部に設けられ、前記弁体８２が密接可能な弁座８３と、軸筒２の前部内面に設けた押圧壁部２３とからなる。ペン先没入時に、前記弁体８２と前記弁座８３とが密接して通気路７の開口部７１が閉鎖され、ペン先突出時に、前記押圧壁部２３が前記弁体８２を後方に押圧して通気路７の開口部７１が開放される。
【００７６】
前記弁体８２は、通気路７の開口部７１内部に、前後方向に移動可能に収容される。前記通気路７の開口部７１内部の弁体８２の後方には、弁体８２を常時前方に付勢する弾発体８４（例えばコイルスプリング）が収容される。前記容器４の前端開口部７１に取り付けられるペン先保持部材５３には、前記通気路７の開口部７１が設けられる。前記通気路７の開口端部には、前方に付勢された弁体８２が密接可能な弁座８３が形成される。前記弁体８２の前端部は、弁座８３より前方に突出されるとともに、ペン先突出時、押圧壁部２３と当接される。尚、本発明において、前記弁体８２と弾発体８４とは、弾性材料により一体に形成したものでもよい。
【００７７】
前記押圧壁部２３は、軸筒２の前端孔２１近傍の内壁に一体に形成される軸方向に延びるリブからなる。前記押圧壁部２３が、筆記体３の外面に形成した軸方向の凹溝に係合し、筆記体３と軸筒２との円周方向の位置（即ち通気路７の開口部７１と押圧壁部２３の円周方向の位置）を合わせることができる。
【００７８】
（その他）
尚、本発明の前記インキ保溜部材６は、温度変化等によりインキタンク４１の内圧が上昇した場合に、インキタンク４１からの押し出されたインキ（溢出インキ）を毛細管力により一時的に保持し、一方、インキタンク４１の内圧が減少した場合に、インキ保溜部材６内の保持インキを速やかにインキタンク４１内に戻す機能を有する部材であればよく、本実施の形態の他にも、例えば、らせん状や迷路状のインキ保溜溝を有する合成樹脂の成形体、または繊維加工体や連続気泡体等からなる多孔質含浸体等が挙げられる。
【００７９】
本発明のペン先は、ペン先を密閉する手段を有するものであれば、ボールペンチップに限らない。
【図面の簡単な説明】
【００８０】
【図１】本発明の第１の実施の形態のペン先没入状態を示す縦断面図である。
【図２】図１のペン先突出状態を示す縦断面図である。
【図３】本発明の第２の実施の形態のペン先没入状態を示す縦断面図である。
【図４】図３のペン先突出状態を示す縦断面図である。
【図５】図３の筆記体の縦断面図である。
【図６】図５のＡ−Ａ線断面図である。
【図７】本発明の第３の実施の形態のペン先没入状態を示す縦断面図である。
【図８】図７のペン先突出状態を示す縦断面図である。
【図９】図７の筆記体の縦断面図である。
【図１０】図９のＢ−Ｂ線断面図である。
【図１１】本発明の第４の実施の形態のペン先没入状態を示す縦断面図である。
【図１２】図１１のペン先突出状態を示す縦断面図である。
【符号の説明】
【００８１】
１  出没式筆記具
１１  コイルスプリング
２  軸筒
２１  前端孔
２２  前側係止部
２３  押圧壁部
３  筆記体
３１  外装体
４  容器
４１  インキタンク
４２  後側係止部
４３  リブ
４４  隔壁
４５  円筒状壁部
４６  管状壁部
５  ペン先
５１  チップ本体
５２  弾発体
５３  ペン先保持部材
６  インキ保溜部材
６１  櫛歯
６２  インキ誘導芯
７  通気路
７１  開口部
７２  連通孔
７ａ  第１の通気路
７ｂ  第２の通気路
８  シール装置
８１  シール体
８２  弁体
８３  弁座
８４  弾発体
９  出没機構
９１  カム本体
９２  回転部材
９２ａ  棒状部
９３  ノック部（操作部）
【図１】
2008006660.tif 000003
【図２】
2008006660.tif 000004
【図３】
2008006660.tif 000005
【図４】
2008006660.tif 000006
【図５】
2008006660.tif 000007
【図６】
2008006660.tif 000008
【図７】
2008006660.tif 000009
【図８】
2008006660.tif 000010
【図９】
2008006660.tif 000011
【図１０】
2008006660.tif 000012
【図１１】
2008006660.tif 000013
【図１２】
2008006660.tif 000014